(57)【要約】【課題】簡易な防水構造で充電モニタによりバッテリの交換時期を通知することができる照明器具を提供すること。【解決手段】照明器具は、光を発する光源モジュールと、光源モジュールに電力を供給するバッテリと、光源モジュールおよびバッテリを保持するケースと、ケースに取り付けられ、光源モジュールを覆う透光性のカバーと、カバーの中央に配置され、バッテリの充電状態を表示する充電モニタと、カバーの照射面の中央に形成された貫通孔に取り付けられた透光性ブッシュと、を備え、充電モニタは、透光性ブッシュを介して保持されるものである。【選択図】図１
2019129097.tif 000002
【特許請求の範囲】
【請求項１】
光を発する光源モジュールと、
前記光源モジュールに電力を供給するバッテリと、
前記光源モジュールおよび前記バッテリを保持するケースと、
前記ケースに取り付けられ、前記光源モジュールを覆う透光性のカバーと、
前記カバーの中央に配置され、前記バッテリの充電状態を表示する充電モニタと、
前記カバーの照射面の中央に形成された貫通孔に取り付けられた透光性ブッシュと、を備え、
前記充電モニタは、前記透光性ブッシュを介して保持される
照明器具。
【請求項２】
一端が前記光源モジュールの中央に形成された貫通孔に取り付けられ、他端が前記透光性ブッシュに保持される透光性チューブを備え、
前記充電モニタは、前記透光性チューブ内に収納される
請求項１に記載の照明器具。
【請求項３】
光を発する光源モジュールと、
前記光源モジュールに電力を供給するバッテリと、
前記光源モジュールおよび前記バッテリを保持するケースと、
前記ケースに取り付けられ、前記光源モジュールを覆う透光性のカバーと、
前記カバーの中央に配置され、前記バッテリの充電状態を表示する充電モニタと、を備え、
前記充電モニタは、前記光源モジュールに設けられており、
前記カバーの裏面の中央には、蛍光体が塗布されている
照明器具。
【発明の詳細な説明】
【技術分野】
【０００１】
本発明は、充電機能を備えた照明器具に関するものである。
【背景技術】
【０００２】
従来、ＬＥＤを光源として、玄関、浴室などの天井または壁に取り付けられる防水型の照明器具が提案されている（例えば、特許文献１参照）。
【０００３】
特許文献１の照明装置は、防水性を向上させるため、器具本体の開口に防水部材を介してカバーが取り付けられている。また、センサおよびセンサカバーに器具本体から延設された防水カバーが設けられている。
【０００４】
このような照明装置を、防水型の非常用の照明装置に仕様変更する場合、バッテリの充電状態を表示する充電インジケータ（以下、充電モニタと称する）により、バッテリの交換時期を通知する機能が必要となる。そして、充電モニタの表示は、器具本体のカバーおよびふたなどを開けることなく確認できることが望ましい。
【先行技術文献】
【特許文献】
【０００５】
【特許文献１】特開２０１７−２１９１７号公報
【発明の概要】
【発明が解決しようとする課題】
【０００６】
しかしながら、特許文献１の照明装置は、器具本体およびカバーの複雑な防水構造だけでなく、センサも別途防水された構造を有している。そのため、特許文献１の照明装置を防水型の非常用の照明装置に仕様変更する場合、充電モニタを防水するために複雑な構造が必要となるという課題があった。
【０００７】
本発明は、以上のような課題を解決するためになされたもので、簡易な防水構造で構成された充電モニタによりバッテリの交換時期を通知することができる照明器具を提供することを目的としている。
【課題を解決するための手段】
【０００８】
本発明に係る照明器具は、光を発する光源モジュールと、前記光源モジュールに電力を供給するバッテリと、前記光源モジュールおよび前記バッテリを保持するケースと、前記ケースに取り付けられ、前記光源モジュールを覆う透光性のカバーと、前記カバーの中央に配置され、前記バッテリの充電状態を表示する充電モニタと、前記カバーの照射面の中央に形成された貫通孔に取り付けられた透光性ブッシュと、を備え、前記充電モニタは、前記透光性ブッシュを介して保持されるものである。
【発明の効果】
【０００９】
本発明に係る照明器具によれば、簡易な防水構造で構成された充電モニタによりバッテリの交換時期を通知することができる。
【図面の簡単な説明】
【００１０】
【図１】本発明の実施の形態１に係る照明器具を示す照射側である下方からの斜視図である。
【図２】本発明の実施の形態１に係る照明器具を示す被取付面側である上方からの斜視図である。
【図３】本発明の実施の形態１に係る照明器具を示す平面図である。
【図４】本発明の実施の形態１に係る照明器具を示す正面図である。
【図５】図３に示す照明器具のＡ−Ａ断面を矢印方向から見た断面図である。
【図６】図５に示す照明器具のＢ−Ｂ断面を矢印方向から見た断面図である。
【図７】本発明の実施の形態１に係る照明器具のカバーが取り外された状態の底面図である。
【図８】本発明の実施の形態１に係る照明器具を示す分解斜視図である。
【図９】本発明の実施の形態１に係る照明器具の充電モニタを示す平面図である。
【図１０】本発明の実施の形態１に係る照明器具の充電モニタを示す斜視図である。
【図１１】本発明の実施の形態２に係る照明器具の縦断面図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の実施の形態１に係る照明器具１００を示す照射側である下方からの斜視図である。図２は、本発明の実施の形態１に係る照明器具１００を示す被取付面側である上方からの斜視図である。図３は、本発明の実施の形態１に係る照明器具１００を示す平面図である。図４は、本発明の実施の形態１に係る照明器具１００を示す正面図である。図５は、図３に示す照明器具１００のＡ−Ａ断面を矢印方向から見た断面図である。図６は、図５に示す照明器具１００のＢ−Ｂ断面を矢印方向から見た断面図である。図７は、本発明の実施の形態１に係る照明器具１００のカバー２０が取り外された状態の底面図である。図８は、本発明の実施の形態１に係る照明器具１００を示す分解斜視図である。
【００１３】
なお、図５において、常用点灯装置５０および非常用点灯装置５２は、断面ではなく図３の矢印方向から見た外観を示している。また、図５において、常用点灯装置５０および非常用点灯装置５２を覆うケース１０およびカバー２０を非表示としている。また、図６において、カバー２０の光源モジュール４０の外形線は省略されており、２点鎖線で位置が示されている。また、図７は、カバー２０を非表示としている。
【００１４】
以下、本実施の形態１に係る照明器具１００の構成を、図１〜図８を参照して説明する。
図１〜図４に示すように、本実施の形態１に係る照明器具１００の外部は、一端が開口した円筒形状であるケース１０と、ケース１０の取付面に設けられたケースパッキン１１と、ケース１０の下面を覆うように取り付けられたカバー２０と、で構成されている。
【００１５】
また、図５〜図８に示すように、本実施の形態１に係る照明器具１００の内部には、充電モニタ３０と、光源モジュールユニットと、バッテリ５１と、非常用点灯装置５２と、電源端子台５３と、点検スイッチ５４と、が設けられている。
【００１６】
光源モジュールユニットは、図７および図８に示すように、発光素子であるＬＥＤ４１が複数配置された光源モジュール４０と、光源モジュール４０を保持するホルダ４２と、ホルダ４２の枠を構成するホルダ枠４４と、ホルダ４２とホルダ枠４４との間に光源モジュール４０の照射側を覆うように配置されたガラス板４３と、で構成されている。
【００１７】
ケース１０は、一端が開口した円筒形状を有し、光源モジュールユニットなどを収納するものである。ケース１０の被取付面である上面には、ケースパッキン１１が貼り付けられている。ケースパッキン１１は、例えばＥＰＴゴムで円板状に形成され、壁などの取付対象に密着することで、照明器具１００を取付対象に取り付けるものである。また、図２および図３に示すように、ケース１０の取付面とケースパッキン１１とには、外部から商用電源を引き込むための電源孔１２が形成されている。また、ケース１０の取付面とケースパッキン１１の電源孔１２の周囲には、固定孔１３が複数形成されている。また、図５に示すように、ケース１０の開口部の内周面には、めねじ１０ａが形成されている。
【００１８】
カバー２０は、乳白色のガラスで形成されたガラスグローブであり、光源モジュールユニットを覆い、光源モジュール４０が発する光を透過および拡散させる透光性を有している。このカバー２０は、図５に示すように、一端が開口した略ドーム形状のドーム部２０ｄを有しており、開口側の外周面には、おねじ２０ａが形成されている。そして、カバー２０のおねじ２０ａが、ケース１０のめねじ１０ａにねじ止めされることにより、カバー２０がケース１０に固定される。
【００１９】
図８に示すように、カバー２０のおねじ形成部２０ｂには、リング状のカバーパッキン２１が取り付けられている。このカバーパッキン２１はＯリングであり、ケース１０およびカバー２０内への水や埃の浸入を抑制する。
【００２０】
また、カバー２０は、図５に示すように、ドーム部２０ｄの中央に貫通孔２０ｃが形成され、照射面（表面）側から透光性ブッシュ２２が取り付けられる。透光性ブッシュ２２は、例えば透光性を有するシリコーンゴムで円筒形状に形成されている。なお、後で説明するように、透光性ブッシュ２２の中央に形成された開口は、透光性チューブ３７に保持された充電モニタ３０で閉塞される。これにより、カバー２０に形成された貫通孔２０ｃの防水性が担保される。
【００２１】
常用点灯装置５０は、通常時に外部から商用電源が電源端子台５３を介して供給され、光源モジュール４０に直流電力を供給するものである。非常用点灯装置５２は、通常時に外部から商用電源が電源端子台５３を介して供給され、バッテリ５１をトリクル充電するものである。つまり、通常時は外部から商用電源が、電源端子台５３を介して常用点灯装置５０および非常用点灯装置５２に供給され、常用点灯装置５０が光源モジュール４０に直流電力を供給するとともに、非常用点灯装置５２がバッテリ５１をトリクル充電する。
【００２２】
そして、商用電源を直接供給する配線の外部スイッチの有無により、通常時に光源モジュール４０を常時点灯する照明として照明器具１００を使用することも、外部のスイッチを介して商用電源を供給する配線により、常時点灯とせず必要な時に点灯させる照明として照明器具１００を使用することもできる。
【００２３】
バッテリ５１は、外部からの商用電源の供給が停止する非常時に、非常用点灯装置５２を介して光源モジュール４０に直流電力を供給するものである。つまり、非常時は、バッテリ５１から非常用点灯装置５２を介して光源モジュール４０に直流電力が供給される。
【００２４】
図５に示すように、点検スイッチ５４にはひも５４−１が接続されており、そのひも５４−１が点検者により引っ張られると、バッテリ５１から非常用点灯装置５２を介して光源モジュール４０に直流電力が供給される。つまり、点検時に点検者が点検スイッチ５４に接続されたひも５４−１を引っ張ることにより、バッテリ５１から非常用点灯装置５２を介して光源モジュール４０に直流電力が供給される。
【００２５】
図９は、本発明の実施の形態１に係る照明器具１００の充電モニタ３０を示す平面図である。図１０は、本発明の実施の形態１に係る照明器具１００の充電モニタ３０を示す斜視図である。
次に、本実施の形態１に係る照明器具１００の充電モニタ３０の構成を、図９および図１０を参照して説明する。
充電モニタ３０は、モニタ用ＬＥＤ３２と、２本の電線３４と、モニタ用ＬＥＤ３２および電線３４の２本それぞれの一端を電気的に接続するモニタ基板３３と、モニタ用ＬＥＤ３２およびモニタ基板３３を保持するモニタ用ブッシュ３５と、電線３４の他端に接続されたコネクタ３６と、を備えている。
【００２６】
充電モニタ３０のモニタ用ＬＥＤ３２は、バッテリ５１の充電状態を表示するものである。バッテリ５１が十分に充電されている場合、充電モニタ３０のモニタ用ＬＥＤ３２が緑色に点灯する。本実施の形態１に係る照明器具１００は、照明器具１００に外部から商用電源が４８時間以上供給されることにより、バッテリ５１は十分に充電され、モニタ用ＬＥＤ３２が点灯する。
【００２７】
一方、バッテリ５１が十分に充電されていない場合、充電モニタ３０のモニタ用ＬＥＤ３２は非点灯となる。また、バッテリ５１が非常用点灯装置５２に電気的に接続されていない場合も、バッテリ５１への充電およびバッテリ５１から光源モジュール４０への電力供給ができないことを表示するために、モニタ用ＬＥＤ３２は非点灯となる。
【００２８】
モニタ用ブッシュ３５は、両端が開口し、半径が異なる２つの円筒を同軸上で接合した形状を有している。半径が小さい方の円筒の部分は、モニタ用ＬＥＤ３２を保持し、外側面に沿って複数の爪部３５−１が４つ形成されている。なお、爪部３５−１の数は４つに限定されるものではなく、３つ以上形成されていればよい。一方、半径が大きい方の円筒の部分は、モニタ基板３３を保持する。また、半径が大きい方の円筒部の側面には、電線３４をモニタ用ブッシュ３５の内部に通す切欠き３５−２が２箇所形成されている。なお、本実施の形態１では、モニタ用ブッシュ３５は黒色のゴムで形成されているが、それに限定されない。
【００２９】
また、図５に示すように、充電モニタ３０は、透光性チューブ３７に保持された構成となっている。透光性チューブ３７は、ガラス板４３の中央に形成された貫通孔（図示せず）および光源モジュール４０の中央に形成された貫通孔（図示せず）に保持される。また、充電モニタ３０は、モニタ用ブッシュ３５に形成された爪部３５−１が、透光性チューブ３７と嵌合することにより、透光性チューブ３７に保持される。
【００３０】
次に、本実施の形態１に係る照明器具１００の組み立ての順序の一例について説明する。
まず、図９に示す充電モニタ３０のコネクタ３６を、図６に示すケース１０内に保持された非常用点灯装置５２のレセプタクル５２−１に接続する。
次に、図５に示すように透光性チューブ３７のチューブ内に充電モニタ３０を収納する。
次に、充電モニタ３０を収めた透光性チューブ３７を光源モジュール４０の貫通穴およびガラス板４３の貫通孔に挿入し、固定する。
次に、カバー２０を回転させてケース１０にねじ止めする。
最後に、カバー２０の照射面側から透光性ブッシュ２２をカバー２０の中央に形成された貫通孔２０ｃに挿入する。
【００３１】
このとき、充電モニタ３０の電線３４は、透光性チューブ３７を通り、ガラス板４３および光源モジュール４０の中央に形成された貫通孔を介して、非常用点灯装置５２まで延伸されている。
【００３２】
照明器具１００をこのような構成とすることにより、充電モニタ３０の電線３４が、組み立ての際、ねじれないように透光性チューブ３７内に保持される。また、透光性ブッシュ２２、透光性チューブ３７、および、充電モニタ３０により、カバー２０に形成された貫通孔２０ｃの防水性が担保される。
【００３３】
また、充電モニタ３０をカバー２０の中央に配置することにより、照明器具１００が天井のような水平面に取り付けられた場合、および、壁面のような垂直面に取り付けられた場合など、取り付ける場所および取り付ける向きにかかわらず、点検者が充電モニタ３０を容易に視認することができる。
【００３４】
また、充電モニタ３０のモニタ用ＬＥＤ３２は、カバー２０の照射面側に露出しているため、点検者が照明器具１００のカバー２０の中央を視認できる位置にいる場合、点検者は透光性ブッシュ２２を介さず、透光性ブッシュ２２の中央に形成された開口から充電モニタ３０のモニタ用ＬＥＤ３２を直接見ることができる。よって、点検者はモニタ用ＬＥＤ３２の輝度を必要以上に上げることなく、バッテリ５１の充電状態を確認することができる。
【００３５】
また、透光性ブッシュ２２が透光性を有するため、光源モジュール４０が発する光は透光性ブッシュ２２内を透過し、カバー２０内に影を作らない。これにより、カバー２０の透光性ブッシュ２２近傍の明るさが不均一になることを抑制することができる。
【００３６】
また、カバー２０に透光性ブッシュ２２が取り付けられており、カバー２０に形成された貫通孔２０ｃと透光性ブッシュ２２とが密着し、充電モニタ３０がカバー２０に取り付けられた透光性ブッシュ２２に保持され、覆われた構成となっている。そのような構成により、カバー２０内に水や埃が浸入することを抑制することができる。
【００３７】
なお、充電モニタ３０を透光性チューブ３７で保持せずに、透光性チューブ３７を省いた構成としてもよい。透光性チューブ３７を省くことにより、部品代を抑制することができる。また、組み立て工程を簡素化できる。
【００３８】
透光性チューブ３７を省略した場合の照明器具１００の組み立て順序の一例は、充電モニタ３０をカバー２０の照射面側に引き出した状態で透光性ブッシュ２２に取り付け、カバー２０をケース１０にねじ込みながら取り付けた後、透光性ブッシュ２２をカバー２０に取り付けることとなる。
【００３９】
充電モニタ３０は、カバー２０に取り付けられた透光性ブッシュ２２に、光源モジュール４０側から差し込まれる。充電モニタ３０は、爪部３５−１を透光性ブッシュ２２の穴に引っかけることにより、透光性ブッシュ２２に保持される。本実施の形態では、充電モニタ３０は、カバー２０のドーム部２０ｄよりも突出しないよう、透光性ブッシュ２２に保持される。
【００４０】
このような順序で照明器具１００を組み立てることにより、カバー２０をケース１０にねじ込む際の電線３４のねじれを抑制することができる。
【００４１】
以上、本実施の形態１に係る照明器具１００は、光を発する光源モジュール４０と、光源モジュール４０に電力を供給するバッテリ５１と、光源モジュール４０およびバッテリ５１を保持するケース１０と、ケース１０に取り付けられ、光源モジュール４０を覆う透光性のカバー２０と、カバー２０の中央に配置され、バッテリ５１の充電状態を表示する充電モニタ３０と、カバー２０の照射面の中央に形成された貫通孔２０ｃに取り付けられた透光性ブッシュ２２と、を備え、充電モニタ３０は、透光性ブッシュ２２を介して保持されるものである。
【００４２】
また、本実施の形態１に係る照明器具１００は、一端が光源モジュール４０の中央に形成された貫通孔に取り付けられ、他端が透光性ブッシュ２２に保持される透光性チューブ３７を備え、充電モニタ３０は、透光性チューブ３７内に収納されるものである。
【００４３】
本実施の形態１に係る照明器具１００によれば、簡易な防水構造で充電モニタ３０によりバッテリ５１の交換時期を通知することができる。
【００４４】
実施の形態２．
以下、本発明の実施の形態２について説明するが、実施の形態１と重複するものについては説明を省略し、実施の形態１と同じ部分または相当する部分には同じ符号を付す。
【００４５】
図１１は、本発明の実施の形態２に係る照明器具１００の縦断面図である。なお、図１１の断面図は、実施の形態１の図６と同じ位置の断面図である。
【００４６】
実施の形態１では、モニタ用ＬＥＤ３２が、透光性チューブ３７に保持されたモニタ用ブッシュ３５の内部に配置された構成となっているが、後述するように本実施の形態２では、モニタ用ＬＥＤ３２が、光源モジュール４０に配置された構成となっている。
【００４７】
以下、本実施の形態２に係る照明器具１００の充電モニタ３０の構成を、図１１を参照して説明する。
実施の形態１に係るカバー２０は、ドーム部２０ｄの中央に貫通孔２０ｃが形成されていたが、本実施の形態２に係るカバー２０は、図１１に示すように、ドーム部２０ｄの中央に貫通孔２０ｃが形成されていない。
【００４８】
また、カバー２０の照射面の反対側の面である裏面の中央には、蛍光体２３が塗布されている。カバー２０の照射面側からは、蛍光体２３が塗布された箇所は黄色く見える。後で説明するように、蛍光体２３は、モニタ用ＬＥＤ３２が発する光が当たると、カバー２０の照射面側に向かって緑色の光を発する。
【００４９】
充電モニタ３０は、モニタ用ＬＥＤ３２と、電線３４と、遮光チューブ３８と、を備えている。
【００５０】
モニタ用ＬＥＤ３２は、光源モジュール４０に配置されている。モニタ用ＬＥＤ３２が発する光は、遮光チューブ３８内を通り蛍光体２３に当たる。遮光チューブ３８は、モニタ用ＬＥＤ３２が発する光が遮光チューブ３８の外に漏れ出すことを抑制する。遮光チューブ３８はまた、ＬＥＤ４１が発する光が遮光チューブ３８の中に入ることを抑制する。
【００５１】
遮光チューブ３８は、ガラス板４３の中央に形成された貫通孔（図示せず）と光源モジュール４０の中央に形成された貫通孔（図示せず）とに保持される。遮光チューブ３８は、カバー２０を回転させながらケース１０にねじ止めする際にねじれないよう、剛性を持つことが望ましい。なお、遮光チューブ３８をカバー２０で保持する構成としてもよい。遮光チューブ３８をカバー２０で保持することにより、蛍光体２３との位置合わせが不要となる。
【００５２】
蛍光体２３にモニタ用ＬＥＤ３２が発する光が当たると、蛍光体２３は、緑色の蛍光を発する。蛍光体２３が発する緑色の光は、カバー２０の照射面側から点検者が容易に視認することができる。
【００５３】
バッテリ５１が十分に充電されている場合、充電モニタ３０は緑色の蛍光を発する。一方、バッテリ５１が十分に充電されていない場合、充電モニタ３０は黄色く見える。
【００５４】
このように充電モニタ３０を構成することにより、以下のような効果を奏する。
カバー２０に貫通孔２０ｃが不要なため、透光性ブッシュ２２が不要となる。また、充電モニタ３０が光源モジュール４０に配置されているため、モニタ基板３３およびモニタ用ブッシュ３５が不要となる。また、カバー２０の裏面の中央には、蛍光体２３が塗布されており、充電モニタ３０の点灯時に蛍光体２３が緑色の蛍光を発し、充電モニタ３０の非点灯時に蛍光体２３が黄色に見えるため、照明器具１００の外から容易に充電モニタ３０を確認することができる。
【００５５】
以上、本実施の形態２に係る照明器具１００は、光を発する光源モジュール４０と、光源モジュール４０に電力を供給するバッテリ５１と、光源モジュール４０およびバッテリ５１を保持するケース１０と、ケース１０に取り付けられ、光源モジュール４０を覆う透光性のカバー２０と、カバー２０の中央に配置され、バッテリ５１の充電状態を表示する充電モニタ３０と、を備え、充電モニタ３０は、光源モジュール４０に設けられており、カバー２０の裏面の中央には、蛍光体２３が塗布されているものである。
【００５６】
本実施の形態２に係る照明器具１００によれば、カバー２０に貫通孔２０ｃが不要なため、透光性ブッシュ２２が不要となる。また、充電モニタ３０が光源モジュール４０に設けられているため、モニタ基板３３およびモニタ用ブッシュ３５が不要となる。また、カバー２０の裏面の中央には、蛍光体２３が塗布されており、充電モニタ３０の点灯時に蛍光体２３が緑色の蛍光を発し、充電モニタ３０の非点灯時に蛍光体２３が黄色に見えるため、照明器具１００の外から容易に充電モニタ３０を確認することができる。
【符号の説明】
【００５７】
１０  ケース、１０ａ  めねじ、１１  ケースパッキン、１２  電源孔、１３  固定孔、２０  カバー、２０ａ  おねじ、２０ｂ  おねじ形成部、２０ｃ  貫通孔、２０ｄ  ドーム部、２１  カバーパッキン、２２  透光性ブッシュ、２３  蛍光体、３０  充電モニタ、３２  モニタ用ＬＥＤ、３３  モニタ基板、３４  電線、３５  モニタ用ブッシュ、３５−１  爪部、３５−２  切欠き、３６  コネクタ、３７  透光性チューブ、３８  遮光チューブ、４０  光源モジュール、４１  ＬＥＤ、４２  ホルダ、４３  ガラス板、４４  ホルダ枠、５０  常用点灯装置、５１  バッテリ、５２  非常用点灯装置、５２−１  レセプタクル、５３  電源端子台、５４  点検スイッチ、５４−１  ひも、１００  照明器具。
【図１】
2019129097.tif 000003
【図２】
2019129097.tif 000004
【図３】
2019129097.tif 000005
【図４】
2019129097.tif 000006
【図５】
2019129097.tif 000007
【図６】
2019129097.tif 000008
【図７】
2019129097.tif 000009
【図８】
2019129097.tif 000010
【図９】
2019129097.tif 000011
【図１０】
2019129097.tif 000012
【図１１】
2019129097.tif 000013